(57)【要約】【課題】電源コード類を収納でき、美観を保つとともに清掃が容易なテレビ台（１０）を提供する。【解決手段】切り欠き（Ｃ）または開口（Ｋ）を有する天板（１）と、天板（１）の下側の下板（２）と、天板（１）と下板（２）との間、かつ、天板（１）の縁（Ｅ）より内側に配置されている背面部材（３１、３２）と、背面部材（３１、３２）に取り付け可能な収納部（４）と、を有する。背面部材（３１、３２）は、格子状の第１の背面部材（３１）または逆Ｕ字型の第２の背面部材（３２）であることが好ましい。【選択図】図１
2018198409.tif 000002
【特許請求の範囲】
【請求項１】
切り欠き（Ｃ）または開口（Ｋ）を有する天板（１）と、
前記天板（１）の下側の下板（２）と、
前記天板（１）と前記下板（２）との間、かつ、前記天板（１）の縁（Ｅ）より内側に配置されている背面部材（３１、３２）と、
前記背面部材（３１、３２）に取り付け可能な収納部（４）と、
を有するテレビ台（１０）。
【請求項２】
前記背面部材（３１、３２）は、格子状の第１の背面部材（３１）または逆Ｕ字型の第２の背面部材（３２）である、
請求項１に記載のテレビ台（１０）。
【請求項３】
上下に分割可能な脚をさらに有する、
請求項１または２に記載のテレビ台（１０）。
【発明の詳細な説明】
【技術分野】
【０００１】
本発明は、テレビ台に関するものである。
【背景技術】
【０００２】
従来のテレビ台として、テレビを載置する天板の上に、さらに大きい天板を設け、テレビの上部空間を活用できる技術が提案されている（例えば、特許文献１）。
【先行技術文献】
【特許文献】
【０００３】
【特許文献１】特開２０１４−０５３８２８号公報
【発明の概要】
【発明が解決しようとする課題】
【０００４】
しかしながら、特許文献１の技術では、テレビの電源コードに関する工夫は提案されていない。
さらに、近年テレビ台には、テレビやＤＶＤだけでなく、インターネット等の普及に伴い、ルーターや、デスクトップコンピュータのハードディスクおよびモニター等が配置される。この場合、これらの電源コードおよびＡＣアダプター（以下、電源コード類と称する）が、テレビ台の裏側に乱雑に配線され、美観を損ねるだけでなく清掃が困難であるという欠点があった。
また、電源コード類のために、テレビ台を壁際に配置する際にも、テレビ台と壁との間に隙間を設けざるを得なかった。すると、その隙間にゴミが溜まりやすく、やはり清掃が困難であるという欠点があった。
そこで、本発明は、電源コード類を収納でき、美観を保つとともに清掃が容易なテレビ台を提供することを目的とする。
【課題を解決するための手段】
【０００５】
本発明の要旨は以下の通りである。
本発明のテレビ台（１０）は、
切り欠き（Ｃ）または開口（Ｋ）を有する天板（１）と、
前記天板（１）の下側の下板（２）と、
前記天板（１）と前記下板（２）との間、かつ、前記天板（１）の縁（Ｅ）より内側に配置されている背面部材（３１、３２）と、
前記背面部材（３１、３２）に取り付け可能な収納部（４）と、
を有する。
【０００６】
前記背面部材（３１、３２）は、格子状の第１の背面部材（３１）または逆Ｕ字型の第２の背面部材（３２）である、
ことが好ましい。
【０００７】
上下に分割可能な脚をさらに有する、
ことが好ましい。
【図面の簡単な説明】
【０００８】
【図１】本発明のテレビ台を背面側から見た斜視図である。
【図２】本発明のテレビ台の構成要素を示す図である。
【図３】（ａ）は、図１のＡ−Ａ断面図であり、（ｂ）は、壁のコンセント付近の拡大図である。
【図４】本発明のテレビ台の脚を示す図である。
【図５】天板の切り欠きの変形例である開口を示す図である。
【図６】第１の背面部材の変形例を示す図である。
【図７】収納部の変形例を示す図である。
【発明を実施するための形態】
【０００９】
図１は、本発明のテレビ台を背面側から見た斜視図であり、図２は、本発明のテレビ台の構成要素を示す図であり、図３（ａ）は、図１のＡ−Ａ断面図であり、図３（ｂ）は、壁のコンセント付近の拡大図である。
本発明のテレビ台１０は、切り欠きＣを背面側の中央に有する天板１と、天板１の下側の下板２と、天板１と下板２とに取り付けられた格子状の第１の背面部材３１と、下板２に取り付けられた逆Ｕ字型の第２の背面部材３２と、第１の背面部材３１に取り付けられた収納部４と、下板２に取り付けられた脚５と、を有する。
テレビ台１０を壁際に配置した際、天板１の切り欠きＣを介して、テレビの電源コード類を壁のコンセントに接続することができるので、天板１は、切り欠きＣ以外の部分において壁に密着させることができる。これにより、小物がテレビ台１０の裏側に落下することがなく、ゴミやホコリがテレビ台１０の裏側に溜まるのを防止することができる。
下板２にも、背面側の中央に切り欠きＣが設けられており、この切り欠きＣを介して、下板２と壁との間に空間が形成されるため、この空間に例えばロボット掃除機Ｒの充電器Ｊを配置することができる。
【００１０】
第１の背面部材３１および第２の背面部材３２は、天板１と下板２との間、かつ、天板１の背面側の縁Ｅより内側に配置されている。それゆえ、テレビ台１０を壁に密着させた場合（すなわち、天板１を、切り欠きＣ以外の部分において壁に密着させた場合）でも、第１の背面部材３１と壁との間には、空間が形成されるし、第２の背面部材３２と壁との間にも、空間が形成される。
第１の背面部材３１と壁との間の空間は、コンセントに電源プラグが挿入されても電源コード類が第１の背面部材３１に接触しないように、例えば、８ｃｍ程度とすることができる（図３（ｂ）参照）。
特に、第１の背面部材３１と壁との間の空間には、収納部４が配置される。ワイヤーネット等である第１の背面部材３１、金属金具等である第２の背面部材３２およびバスケット等である収納部４には、電源コード類を巻きつけることもできるし、延長コードタップを収納することもできる。これにより、電源コード類や延長コードタップが床に置かれることがなくなり、美観が保たれるとともに、テレビ台１０の裏側の床面の清掃が容易になる。
なお、収納部４は、逆Ｕ字型の第２の背面部材３２に取り付けられてもよいし、不要の場合は取り外されてもよい。
【００１１】
図４に示すように、テレビ台１０の脚５は、脚上部５ａと脚下部５ｂとからなり、上下に分割可能であることが好ましい。図１のテレビ台１０では、脚上部５ａを下板２にネジにより取り付け、脚下部５ｂを脚上部５ａにネジにより取り付けることにより、テレビ台１０の下の空間を大きくしているが、脚上部５ａのみを下板２にネジにより取り付けてもよいし、脚上部５ａおよび脚下部５ｂを用いずに、下板２を直接床に配置してもよい。このような脚５により、テレビ台１０の高さを調節することができる。また、テレビ台１０の本体から脚５を取り外して出荷することにより、テレビ台１０の梱包サイズを小さくすることができ、輸送コストを低減することができる。
例えば、脚５の高さが１５０ｍｍ（脚上部５ａおよび脚下部５ｂの高さをそれぞれ７５ｍｍ）のときの天板１の高さが４５５ｍｍであるとき、脚上部５ａのみを取り付けた場合には、天板１の高さは３８０ｍｍとなり、脚５を取り付けない場合には、天板１の高さは３０５ｍｍとなる。
なお、下板２と脚上部５ａと脚下部５ｂとの取り付けはネジに限定されず、凹凸構造としてもよい。
【００１２】
本発明のテレビ台１０は、図示例に限定されるものではない。
例えば、天板１および下板２が直角二等辺三角形であり、テレビ台１０を部屋の隅（コーナー）に配置してもよい。この場合、天板１は、切り欠きＣ以外の部分において２つの壁に密着させることができる。また、切り欠きＣは、天板１の任意の位置に設けることができ、例えば、直角二等辺三角形の頂角の部分に設けることもできる。
また、天板１に複数の切り欠きＣを設けることもできるし、切り欠きＣの形状も図示例のような台形だけでなく、半円形や三角形等でもよい。
また、図示例では、下板２の切り欠きＣは、一方の脚５の付近から他方の脚５の付近まで幅広に設けられているが、複数の切り欠きＣが設けられていてもよい。この場合、１つの切り欠きＣの幅は、３５０ｍｍ程度であることが好ましい。あるいは、下板２に切り欠きＣを設ける代わりに、下板２が全体的に天板１より小さく、下板２が壁に接触しない構成でもよい。
【００１３】
以下、本発明の代替実施形態を説明する。
図５（ａ）は、切り欠きＣの代わりに開口Ｋを背面側の中央に有する天板１を示す。これにより、天板１を全体的に壁に密着させることができる。
図５（ｂ）は、左右に蓋Ｆ１が設けられた開口Ｋの平面図であり、図５（ｃ）は、図５（ｂ）のＢ−Ｂ断面図である。図５（ｃ）に矢印で示すように、蓋Ｆ１は蝶番Ｔにより開閉する。
または、図５（ｄ）に示すように、蓋Ｆ２はスライド式でもよい。
蓋Ｆ１、Ｆ２を設けることにより、電源コード類の本数や太さに合わせて、開口Ｋの大きさを調整することができる。
なお、切り欠きＣにも同様に蓋Ｆ１、Ｆ２を設けることもできる。
【００１４】
図６は、第１の背面部材の変形例を示す図である。
図６（ａ）では、第１の背面部材３１ａは、斜めにワイヤーが延在するワイヤーネットである。
図６（ｂ）では、第１の背面部材３１ｂは、等間隔に孔が設けられた板状部材である。
第１の背面部材３１は、金属、樹脂、木材等の任意の材料から製造可能である。
【００１５】
図７は、収納部の変形例を示す図である。
図７（ａ）では、収納部４ａは、第１の背面部材３１と同様の幅を有する。
図７（ｂ）では、収納部４ｂは、第１の背面部材３１より短い幅を有するので、複数の収納部４ｂを第１の背面部材３１に取り付けてもよい。
収納部４は、金属、樹脂、木材等の任意の材料から製造可能である。
【符号の説明】
【００１６】
１      天板
２      下板
３１    第１の背面部材
３２    第２の背面部材
４      収納部
５      脚
１０    テレビ台
Ｃ      切り欠き
Ｋ      開口
【図１】
2018198409.tif 000003
【図２】
2018198409.tif 000004
【図３】
2018198409.tif 000005
【図４】
2018198409.tif 000006
【図５】
2018198409.tif 000007
【図６】
2018198409.tif 000008
【図７】
2018198409.tif 000009
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
切り欠き（Ｃ）または開口（Ｋ）を有する天板（１）と、
前記天板（１）の下側の下板（２）と、
前記天板（１）と前記下板（２）との間、かつ、前記天板（１）の背面側の縁（Ｅ）より内側に配置されている背面部材（３１、３２）と、
前記背面部材（３１、３２）に取り付け可能な収納部（４）と、
を有し、
前記背面部材（３１、３２）は、格子状の第１の背面部材（３１）または逆Ｕ字型の第２の背面部材（３２）である、テレビ台（１０）。
【請求項２】
上下に分割可能な脚をさらに有する、
請求項１に記載のテレビ台（１０）。